(57)【要約】【課題】受信状態が悪い場合の誤動作を防止することができる放送受信技術を提供する。【解決手段】放送受信装置は、保持部と、比較部と、判断部と、を備える。前記保持部は、デジタル放送信号に含まれる所定パラメータ群の不変部分の値を初回受信時に取得して保持する。前記比較部は、前記初回受信よりも後に受信された前記デジタル放送信号に含まれる前記所定パラメータ群の不変部分の値を、前記保持部によって保持されている前記所定パラメータ群の不変部分の値と比較する。前記判断部は、前記比較部の比較対象同士が一致していれば、前記初回受信よりも後に受信された前記デジタル放送信号に含まれる前記所定パラメータ群の値を正しいパラメータ群の値として採用する。前記所定パラメータ群の不変部分は、放送形態が変わらない限り送信側で付与される値が変わらない部分である。【選択図】図１
2019122018.tif 000002
【特許請求の範囲】
【請求項１】
デジタル放送信号に含まれる所定パラメータ群の不変部分の値を初回受信時に取得して保持する保持部と、
前記初回受信よりも後に受信された前記デジタル放送信号に含まれる前記所定パラメータ群の不変部分の値を、前記保持部によって保持されている前記所定パラメータ群の不変部分の値と比較する比較部と、
前記比較部の比較対象同士が一致していれば、前記初回受信よりも後に受信された前記デジタル放送信号に含まれる前記所定パラメータ群の値を正しいパラメータ群の値として採用する判断部と、
を備え、
前記所定パラメータ群の不変部分は、放送形態が変わらない限り送信側で付与される値が変わらない部分である、放送受信装置。
【請求項２】
前記放送形態の変更を検知する検知部をさらに備え、
前記所定パラメータ群は、前記放送形態の変更を予告する予告パラメータを含み、
前記検知部は、前記正しいパラメータ群に含まれる前記予告パラメータの値の推移に基づいて、前記放送形態の変更を検知する、請求項１に記載の放送受信装置。
【請求項３】
前記検知部は、
前記放送形態の変更の予告が開始されたことを認識してから前記放送形態の変更の予告が終了されたことを認識する迄の間に、前記正しいパラメータ群に含まれる前記予告パラメータの値を取得できなくなったときは、
最後に取得した前記正しいパラメータ群に含まれる前記予告パラメータの値に対応する所定時間経過後に前記放送形態の変更を検知する、請求項２に記載の放送受信装置。
【請求項４】
前記検知部は、
前記放送形態の変更の予告が開始されたことを認識してから前記放送形態の変更の予告が終了されたことを認識する迄の間に、前記正しいパラメータ群に含まれる前記予告パラメータの値を取得できなくなったときは、
最後に取得した前記正しいパラメータ群に含まれる前記予告パラメータの値を所定周期でインクリメント又はデクリメントし、前記インクリメント又は前記デクリメントによって更新された前記予告パラメータの値が所定値に達したら前記放送形態の変更を検知する、請求項３に記載の放送受信装置。
【請求項５】
デジタル放送信号に含まれる所定パラメータ群の不変部分の値を初回受信時に取得して保持する保持工程と、
前記初回受信よりも後に受信された前記デジタル放送信号に含まれる前記所定パラメータ群の不変部分の値を、前記保持工程によって保持されている前記所定パラメータ群の不変部分の値と比較する比較工程と、
前記比較工程の比較対象同士が一致していれば、前記初回受信よりも後に受信された前記デジタル放送信号に含まれる前記所定パラメータ群の値を正しいパラメータ群の値として採用する判断工程と、
を備え、
前記所定パラメータ群の不変部分は、放送形態が変わらない限り送信側で付与される値が変わらない部分である、放送受信方法。
【発明の詳細な説明】
【技術分野】
【０００１】
本発明は、デジタル放送の受信技術に関する。
【背景技術】
【０００２】
デジタル放送では、通常、送信側から受信側に放送信号データが誤りなく伝送されたか否かを検出するために、ＣＲＣ（Cyclic Redundancy Check）と呼ばれる誤り検出用のデータが放送信号データに付加されている。
【先行技術文献】
【特許文献】
【０００３】
【特許文献１】特開２０１２−９５０３３号公報
【発明の概要】
【発明が解決しようとする課題】
【０００４】
しかしながら、受信状態が悪い場合、放送信号データに誤りが生じているにもかかわらず、ＣＲＣで誤りを検出できないことがある。
【０００５】
例えばＤＲＭ（Digital Radio Mondiale）放送のＦＡＣ（Fast Access Channel）パラメータ群に含まれる放送形態の変更を予告する予告パラメータ（reconfiguration index）に誤りが生じているにもかかわらず、ＦＡＣに付加されている８bitsのＣＲＣで誤りを検出できなければ、放送受信装置が誤動作してしまう。
【０００６】
この誤動作の問題は、ＤＲＭ放送に限ったものではない。また、この誤動作の問題は、付加されるＣＲＣのビット数が少ない放送信号データに関して生じ易い。また、この誤動作の問題は、受信状態が悪化し易い使用環境の放送受信装置（例えば車両に搭載される送受信装置など）で生じ易い。
【０００７】
なお、特許文献１では、受信状態が所定レベル未満になったときに、特定のデータについてＣＲＣ演算を停止する対策をとっている。しかしながら、ＤＲＭ放送のＦＡＣパラメータ群に付加されている８bitsのＣＲＣに対して特許文献１の対策を採用しても、上述した誤動作の問題は解決しない。
【０００８】
本発明は、上記課題に鑑みて、受信状態が悪い場合の誤動作を防止することができる放送受信技術を提供することを目的とする。
【課題を解決するための手段】
【０００９】
本発明の放送受信装置は、デジタル放送信号に含まれる所定パラメータ群の不変部分の値を初回受信時に取得して保持する保持部と、前記初回受信よりも後に受信された前記デジタル放送信号に含まれる前記所定パラメータ群の不変部分の値を、前記保持部によって保持されている前記所定パラメータ群の不変部分の値と比較する比較部と、前記比較部の比較対象同士が一致していれば、前記初回受信よりも後に受信された前記デジタル放送信号に含まれる前記所定パラメータ群の値を正しいパラメータ群の値として採用する判断部と、を備え、前記所定パラメータ群の不変部分は、放送形態が変わらない限り送信側で付与される値が変わらない部分である構成（第１の構成）である。
【００１０】
上記第１の構成の放送受信装置において、前記放送形態の変更を検知する検知部をさらに備え、前記所定パラメータ群は、前記放送形態の変更を予告する予告パラメータを含み、前記検知部は、前記正しいパラメータ群に含まれる前記予告パラメータの値の推移に基づいて、前記放送形態の変更を検知する構成（第２の構成）であってもよい。
【００１１】
上記第２の構成の放送受信装置において、前記検知部は、前記放送形態の変更の予告が開始されたことを認識してから前記放送形態の変更の予告が終了されたことを認識する迄の間に、前記正しいパラメータ群に含まれる前記予告パラメータの値を取得できなくなったときは、最後に取得した前記正しいパラメータ群に含まれる前記予告パラメータの値に対応する所定時間経過後に前記放送形態の変更を検知する構成（第３の構成）であってもよい。
【００１２】
上記第３の構成の放送受信装置において、前記検知部は、前記放送形態の変更の予告が開始されたことを認識してから前記放送形態の変更の予告が終了されたことを認識する迄の間に、前記正しいパラメータ群に含まれる前記予告パラメータの値を取得できなくなったときは、最後に取得した前記正しいパラメータ群に含まれる前記予告パラメータの値を所定周期でインクリメント又はデクリメントし、前記インクリメント又は前記デクリメントによって更新された前記予告パラメータの値が所定値に達したら前記放送形態の変更を検知する構成（第４の構成）であってもよい。
【００１３】
本発明の放送受信方法は、デジタル放送信号に含まれる所定パラメータ群の不変部分の値を初回受信時に取得して保持する保持工程と、前記初回受信よりも後に受信された前記デジタル放送信号に含まれる前記所定パラメータ群の不変部分の値を、前記保持工程によって保持されている前記所定パラメータ群の不変部分の値と比較する比較工程と、前記比較工程の比較対象同士が一致していれば、前記初回受信よりも後に受信された前記デジタル放送信号に含まれる前記所定パラメータ群の値を正しいパラメータ群の値として採用する判断工程と、を備え、前記所定パラメータ群の不変部分は、放送形態が変わらない限り送信側で付与される値が変わらない部分である構成（第５の構成）である。
【発明の効果】
【００１４】
本発明の放送受信技術によると、受信状態が悪い場合の誤動作を防止することができる。
【図面の簡単な説明】
【００１５】
【図１】放送受信装置の構成を示すブロック図
【図２】ＦＡＣパラメータ群に関連する処理の一例を示すフローチャート
【図３】ＦＡＣパラメータ群の概要を示す図
【発明を実施するための形態】
【００１６】
以下、本発明の例示的な実施形態について、図面を参照しながら詳細に説明する。
【００１７】
＜１．放送受信装置の構成＞
図１は、本実施の形態に係る放送受信装置１００の構成を示すブロック図である。放送受信装置１００は、ＤＲＭ放送を受信する装置である。アンテナ２００は、放送局からの送信電波を受けて、その送信電波をＤＲＭ放送信号に変換して放送受信装置１００に送出する。
【００１８】
ＤＲＭ放送信号は、ＦＡＣ、ＭＳＣ（Main Service Channel）、及びＳＤＣ（Service Description Channel）で構成される。ＦＡＣは、デコードに必要なチャンネルパラメータ及び選局に必要なサービスパラメータを含む。ＭＳＣは、オーディオサービス及びデータサービスを含む。ＳＤＣは、サービスラベル、サービスリンキング情報等を含む。なお、ＤＲＭの詳細については、例えば「Digital Radio Mondiale(DRM); System Specification(ETSI ES 201 980 V4.1.1(2014-01))」等に記載されている。
【００１９】
放送受信装置１００は、チューナ１、ＯＦＤＭ（Orthogonal Frequency Division Multiplexing）復調回路２、デジタル音声復調回路３、Ｄ／Ａコンバータ４、スピーカ５、制御部６、記憶部７、操作部８、及びディスプレイ９を備える。
【００２０】
チューナ１は、制御部６からの指示に従って、アンテナ２００からのＤＲＭ放送信号からＲＦ（Radio Frequency）信号を抽出して直交復調を施し、複素信号（ＩＱ信号）を生成する。チューナ１は、ＩＱ信号をＯＦＤＭ復調回路２に出力する。
【００２１】
ＯＦＤＭ復調回路２は、ＩＱ信号からＣＯＦＤＭ（Coded Orthogonal Frequency Division Multiplexing）多重化信号をデコードし、ＦＡＣやＳＤＣ等の選局に必要なデータを抽出して解析する。ＯＦＤＭ復調回路２は、ＦＡＣやＳＤＣ等の解析結果（デコードデータ）を制御部６に出力する。また、ＯＦＤＭ復調回路２は、制御部６からの指示に従って、オーディオストリームをデコードし、デジタル音声信号に変換する。ＯＦＤＭ復調回路２は、デジタル音声信号をデジタル音声復調回路３に出力する。
【００２２】
ＯＦＤＭ復調回路２は、保持部２ａ、比較部２ｂ、判断部２ｃ、及び検知部２ｄを備える。保持部２ａは、例えばレジスタで構成され、ＦＡＣパラメータ群の不変部分の値を初回受信時に取得して保持する。比較部２ｂは、初回受信よりも後に受信されたＦＡＣパラメータ群の不変部分の値を、保持部２ａによって保持されているＦＡＣパラメータ群の不変部分の値と比較する。判断部２ｃは、比較部２ｂの比較対象同士が一致していれば、初回受信よりも後に受信されたＦＡＣパラメータ群の値を正しいパラメータ群の値として採用する。検出部２ｄは、正しいパラメータ群に含まれるreconfiguration indexの値の推移に基づいて、reconfigurationを検知する。
【００２３】
デジタル音声復調回路３は、デジタル音声信号を復調し、復調後のデジタル音声信号をＤ／Ａコンバータ４に出力する。
【００２４】
Ｄ／Ａコンバータ４は、復調後のデジタル音声信号をアナログ音声信号に変換し、アナログ音声信号をスピーカ５に出力する。
【００２５】
スピーカ５は、アナログ音声信号に応じた音声を出力する。
【００２６】
制御部６は、例えばＭＰＵ（Micro Processing Unit）で構成され、記憶部７に不揮発的に記憶されている制御プログラムを実行して、放送受信装置１００全体を制御する。
【００２７】
記憶部７は、例えばＲＯＭ（Read Only Memory）等の不揮発性メモリ及びＲＡＭ（Random Access Memory）等のワークメモリで構成される。
【００２８】
操作部８は、例えば、釦、タッチパネル、音声入力装置等で構成され、ユーザによる操作入力を受け付け、受け付けた操作入力の内容を制御部６に出力する。
【００２９】
ディスプレイ９は、例えば液晶表示装置で構成され、受信しているチャンネルのサービスに関する情報等を表示する。
【００３０】
＜２．放送受信装置の動作＞
図２は、放送受信装置１００の動作の一部であるＦＡＣパラメータ群に関連する処理の一例を示すフローチャートである。
【００３１】
チューナ１からＯＦＤＭ復調回路２へのＩＱ信号の出力が始まると、図２に示すフローチャートが開始する。
【００３２】
ＯＦＤＭ復調回路２は、図３に示すＦＡＣパラメータ群を各パラメータに分解する（ステップＳ１）。図３中の「不変パラメータ」は、放送形態が変更されるまで、言い換えればreconfigurationまで、送信側で付与される値が変わらないパラメータである。一方、図３中の「可変パラメータ」は、放送形態の変更前であっても、言い換えればreconfigurationの前であっても、送信側で付与される値が変わり得るパラメータである。
【００３３】
次に、ＯＦＤＭ復調回路２は、今回の受信が初めて成功した受信であるか否かを判定する（ステップＳ２）。なお、ステップＳ２の判定において、reconfiguration後は、reconfigurationより前に受信に成功したという事実は破棄される。
【００３４】
今回の受信が初めて成功した受信であれば（ステップＳ２のＹＥＳ）、今回の受信は受信状態が良好な場合での受信であるため、保持部２ａは、今回の受信で取得したＦＡＣパラメータ群の不変部分（全ての不変パラメータ）の値を保持する（ステップＳ３）。なお、本実施形態とは異なり、保持部２ａは、今回の受信で取得したＦＡＣパラメータ群全てを保持してもよい。ステップＳ３に続くステップＳ５において、ＯＦＤＭ復調回路２は、今回の受信で取得したＦＡＣパラメータ群の値を正しいパラメータ群の値として採用する。ステップＳ５の処理が終われば、後述するステップＳ１１に移行する。
【００３５】
一方、今回の受信が初めて成功した受信でなければ（ステップＳ２のＮＯ）、ＯＦＤＭ復調回路２は、reconfiguration indexの値が０であるか否かを確認する（ステップＳ４）。
【００３６】
reconfiguration indexの値が０であれば（ステップＳ４のＹＥＳ）、ＯＦＤＭ復調回路２は、今回の受信で取得したＦＡＣパラメータ群の値を正しいパラメータ群の値として採用する（ステップＳ５）。ステップＳ５の処理が終われば、後述するステップＳ１１に移行する。
【００３７】
reconfiguration indexの値が０以外であれば（ステップＳ４のＮＯ）、受信状態が悪くてreconfiguration indexの値が０以外になっている可能性がある。受信状態が悪くてreconfiguration indexの値が０以外になっている場合に、そのままreconfiguration indexの値を正しい値として採用してしまうと、放送受信装置１００がreconfigurationを誤検出して誤動作してしまう。そこで、本実施形態ではステップＳ６の処理を設けることによって放送受信装置１００の誤動作を防止している。
【００３８】
reconfiguration indexの値が０以外であれば（ステップＳ４のＮＯ）、比較部２ｂは、今回の受信で取得したＦＡＣパラメータ群の不変部分の値を保持部２ａによって保持されているＦＡＣパラメータ群の不変部分の値と比較し、両者が完全一致しているか否かを判定する（ステップＳ６）。
【００３９】
今回の受信で取得したＦＡＣパラメータ群の不変部分の値と保持部２ａによって保持されているＦＡＣパラメータ群の不変部分の値とが完全一致していれば（ステップＳ６のＹＥＳ）、ＯＦＤＭ復調回路２は、今回の受信で取得したＦＡＣパラメータ群の値を正しいパラメータ群の値として採用する（ステップＳ７）。ステップＳ７の処理が終われば、後述するステップＳ１１に移行する。
【００４０】
一方、今回の受信で取得したＦＡＣパラメータ群の不変部分の値と保持部２ａによって保持されているＦＡＣパラメータ群の不変部分の値とが完全一致していなければ（ステップＳ６のＮＯ）、ＯＦＤＭ復調回路２は、今回の受信で取得したＦＡＣパラメータ群の値を正しいパラメータ群の値として採用しない。これにより、放送受信装置１００の誤動作を防止することができる。この場合、ＯＦＤＭ復調回路２は、ステップＳ８〜Ｓ１０の処理を行った後ステップＳ１１に移行する。
【００４１】
ステップＳ８において、ＯＦＤＭ復調回路２は、最後に取得した正しいパラメータ群に含まれるreconfiguration indexの値Ｖ１が０でないか否かを判定する。
【００４２】
最後に取得した正しいパラメータ群に含まれるreconfiguration indexの値Ｖ１が０であれば（ステップＳ８のＮＯ）、reconfiguration indexの値がカウントダウンされている最中に、すなわち放送形態の変更の予告が行われている最中に、受信状態が悪くてreconfiguration indexの値が０以外になっているわけではないので、直接ステップＳ１１に移行する。
【００４３】
一方、最後に取得した正しいパラメータ群に含まれるreconfiguration indexの値Ｖ１が０以外であれば（ステップＳ８のＹＥＳ）、reconfiguration indexの値がカウントダウンされている最中に、すなわち放送形態の変更の予告が行われている最中に、受信状態が悪くてreconfiguration indexの値が０以外になっている。このため、reconfiguration indexの値Ｖ１を用いてreconfigurationのタイミングを推測することが望ましい。
【００４４】
そこで、reconfiguration indexの値Ｖ１が０以外であれば（ステップＳ８のＹＥＳ）、ＯＦＤＭ復調回路２は、reconfiguration indexの値Ｖ１を所定周期（例えば１．２秒）でデクリメントし（ステップＳ９及びＳ１０）、ステップＳ１１に移行する。具体的には、例えばreconfiguration indexの値Ｖ１が取得されたタイミングから１．２秒経過したら、reconfiguration indexの値Ｖ１から１を引いた値をreconfiguration indexの更新値とし、例えばreconfiguration indexの値Ｖ１が取得されたタイミングから２．４秒経過したら、reconfiguration indexの値Ｖ１から２を引いた値をreconfiguration indexの更新値とすればよい。これにより、放送形態の変更の予告が行われている最中に、受信状態が悪くなっても、ＯＦＤＭ復調回路２は、放送形態の変更の予告を継続して認識することができる。したがって、例えば制御部６が、放送形態の変更の予告が行われている最中に、放送形態の変更に備えて準備を行う仕様である場合に、その準備を支障なく進めることができる。
【００４５】
なお、本実施形態とは異なり、所定周期でデクリメントせずに、reconfiguration indexの値Ｖ１を、値Ｖ１に対応する所定時間経過後に０に更新してもよい。具体的には、例えばreconfiguration indexの値Ｖ１が７である場合、値Ｖ１が取得されたタイミングから８．４秒（＝１．２秒×７）経過したら、reconfiguration indexの値を７から０に更新し、例えばreconfiguration indexの値Ｖ１が３である場合、値Ｖ１が取得されたタイミングから３．６秒（＝１．２秒×３）経過したら、reconfiguration indexの値を３から０に更新してもよい。これにより、放送形態の変更の予告が行われている最中に、受信状態が悪くなっても、ＯＦＤＭ復調回路２は、放送形態の変更の予告が終了されたことを正しく認識することができる。
【００４６】
ステップＳ１１において、検知部２ｄは、正しいパラメータ群に含まれるreconfiguration indexの値が０以外から０に変化したか否かを判定する（ステップＳ１１）。
【００４７】
正しいパラメータ群に含まれるreconfiguration indexの値が０以外から０に変化していない場合（ステップＳ１１のＮＯ）、直ちにステップＳ１に戻って次回の受信に備える。
【００４８】
一方、正しいパラメータ群に含まれるreconfiguration indexの値が０以外から０に変化している場合（ステップＳ１１のＹＥＳ）、検知部２ｄはreconfigurationを検知し、検知部２ｄの検知結果に基づいて制御部６はreconfiguration処理を実行する（ステップＳ１２）。そして、ステップＳ１２の処理が終われば、ステップＳ１に戻って次回の受信に備える。検知部２ｄは、上記のように正しいパラメータ群に含まれるreconfiguration indexの値の推移に基づいてreconfigurationすなわち放送形態の変更を検知しているので、放送形態の変更を正しく検知することができる。
【００４９】
以上説明した図３に示すＦＡＣパラメータ群に関連する処理を実行することで、放送受信装置１００は、受信状態が悪い場合の誤動作を防止することができる。
【００５０】
＜３．変形例等＞
本明細書中に開示されている種々の技術的特徴は、上記実施形態のほか、その技術的創作の主旨を逸脱しない範囲で種々の変更を加えることが可能である。また、本明細書中に示される複数の変形例は可能な範囲で組み合わせて実施されてよい。
【００５１】
以上に示した実施形態では、放送受信装置１００がＤＲＭ放送を受信する装置であったが、本発明はＤＲＭ放送以外のデジタル放送を受信する放送受信装置にも適用することが可能である。
【００５２】
また、ＤＲＭ放送では、放送形態の変更の予告がreconfiguration indexの値のカウントダウンにより行われるため、本実施形態では、ステップＳ１０の処理をデクリメント処理にしているが、放送形態の変更の予告が予告パラメータの値のカウントアップにより行われる放送を受信する放送受信装置に本発明を適用する場合には、ステップＳ１０の処理をインクリメント処理に変更すればよい。
【符号の説明】
【００５３】
２  ＯＦＤＭ復調回路
２ａ  保持部
２ｂ  比較部
２ｃ  判断部
２ｄ  検知部
１００  放送受信装置
【図１】
2019122018.tif 000003
【図２】
2019122018.tif 000004
【図３】
2019122018.tif 000005